(57)【要約】【課題】良好なユニフォミティが実現されうるタイヤの製造装置の提供。【解決手段】本発明は、その延在方向に延びるコード１８とこのコード１８を被覆するトッピングゴム２０とを含むストリップ８が、外周面上に巻き回されるドラム４を備えるタイヤの製造装置２に関する。上記ドラム４の外周面は、上記ストリップ８が嵌め込まれうる周方向に向けて螺旋状に延びる溝１０を備えている。上記溝１０は、上記ストリップ８がこの溝１０に嵌め込まれたときこのストリップ８の側面２６と接触する第一面１２とこのストリップ８の底面２４と接触する第二面１４とを備え、その周方向に垂直な断面がＶ字状を呈する。【選択図】図３
2019137019.tif 000002
【特許請求の範囲】
【請求項１】
その延在方向に延びるコードとこのコードを被覆するトッピングゴムとを含むストリップが、外周面上に巻き回されるドラムを備えるタイヤの製造装置であって、
上記ドラムの外周面が、上記ストリップが嵌め込まれうる周方向に向けて螺旋状に延びる溝を備えており、
上記溝が、上記ストリップがこの溝に嵌め込まれたときこのストリップの側面と接触する第一面とこのストリップの底面と接触する第二面とを備え、その周方向に垂直な断面がＶ字状を呈するタイヤの製造装置。
【請求項２】
上記第一面の幅が、上記ストリップの厚みの０．８倍以上１．２倍以下である請求項１に記載の製造装置。
【請求項３】
上記第二面の幅が、上記ストリップの幅の０．５倍以上１．０倍以下である請求項１又は２に記載の製造装置。
【請求項４】
上記ドラムの周方向に垂直な断面において、上記第一面の外側端と上記第二面の外側端とを結ぶ仮想線と、上記第一面とがなす角度が、８０°以上１００°以下である請求項１から３のいずれかに記載の製造装置。
【請求項５】
上記ドラムの周方向に垂直な断面において、上記第一面の外側端と上記第二面の外側端とを結ぶ仮想線と、上記第二面とがなす角度が、９°以上２４°以下である請求項１から４のいずれかに記載の製造装置。
【請求項６】
上記ドラムの周方向に垂直な断面において、上記溝の断面が、重なり及び隙間が無く並んでいる請求項１から５のいずれかに記載の製造装置。
【請求項７】
その延在方向に延びるコードとこのコードを被覆するトッピングゴムとを含むストリップを用意する工程
及び
上記ストリップをドラムの外周面上に巻き回す工程
を備え、
上記ストリップをドラムの外周面上に巻き回す工程においては、上記ドラムの外周面に設けられた、周方向に向けて螺旋状に延びる溝であって、第一面と第二面とを備えその周方向に垂直な断面がＶ字状を呈する溝に、上記ストリップの側面がこの第一面と接触しこのストリップの底面がこの第二面と接触するように上記ストリップが嵌め込まれて巻き回されるタイヤの製造方法。
【請求項８】
上記ストリップをドラムの外周面上に巻き回す工程においては、
上記ストリップを上記溝に送り出しながら、上記ドラムが回転しつつ軸方向に動くことで、上記ストリップが螺旋状に巻き回される請求項７に記載のタイヤの製造方法。
【請求項９】
重荷重タイヤ用である、請求項７又は８に記載のタイヤの製造方法。
【発明の詳細な説明】
【技術分野】
【０００１】
本発明は、タイヤの製造装置に関する。
【背景技術】
【０００２】
通常タイヤでは、トレッドの半径方向内側にバンドを備えている。バンドは、コードを含んでいる。コードの典型的な材質は、スチールである。コードは、実質的に周方向に延びており、螺旋状に巻かれている。バンドは、いわゆるジョイントレス構造を有する。
【０００３】
このタイヤのローカバーの組み立てでは、ドラムを備える製造装置が用いられる。この組み立てでは、コードをゴムで被覆したストリップが用意される。このストリップが、ドラムの外周上で、周方向に向けて螺旋状に巻かれることで、バンドが形成される。バンドの外側に、トレッドが積層される。このバンド及びトレッドが、他のドラム上で形成されたカーカスやサイドウォール等の他の構成部材と組み合わされて、ローカバーが得られる。ドラムを使用したバンドの形成装置についての検討が、特開２０１６−５５４９３公報で報告されている。
【先行技術文献】
【特許文献】
【０００４】
【特許文献１】特開２０１６−５５４９３公報
【発明の概要】
【発明が解決しようとする課題】
【０００５】
バンドの形成においては、ストリップをドラムの外周に巻き付ける際のストリップのドラムに対する滑りや、巻き付けた後のバンド全体のドラムに対する滑りを防止することが、良好なユニフォミティを実現するために重要となる。また、ストリップを螺旋巻きするときの、オーバーラップ量のばらつきを低減することも、良好なユニフォミティに寄与する。これらの滑り及びばらつきが低減されたタイヤの製造装置が求められている。
【０００６】
本発明の目的は、良好なユニフォミティが実現されうるタイヤの製造装置の提供にある。
【課題を解決するための手段】
【０００７】
本発明は、その延在方向に延びるコードとこのコードを被覆するトッピングゴムとを含むストリップが、外周面上に巻き回されるドラムを備えるタイヤの製造装置に関する。上記ドラムの外周面は、上記ストリップが嵌め込まれうる周方向に向けて螺旋状に延びる溝を備えている。上記溝は、上記ストリップがこの溝に嵌め込まれたときこのストリップの側面と接触する第一面とこのストリップの底面と接触する第二面とを備え、その周方向に垂直な断面がＶ字状を呈する。
【０００８】
好ましくは、上記第一面の幅は、上記ストリップの厚みの０．８倍以上１．２倍以下である。
【０００９】
好ましくは、上記第二面の幅は、上記ストリップの幅の０．５倍以上１．０倍以下である。
【００１０】
好ましくは、上記ドラムの周方向に垂直な断面において、上記第一面の外側端と上記第二面の外側端とを結ぶ仮想線と、上記第一面とがなす角度は、８０°以上１００°以下である。
【００１１】
好ましくは、上記ドラムの周方向に垂直な断面において、上記第一面の外側端と上記第二面の外側端とを結ぶ仮想線と、上記第二面とがなす角度は、９°以上２４°以下である。
【００１２】
好ましくは、上記ドラムの周方向に垂直な断面において、上記溝の断面は、重なり及び隙間が無く並んでいる。
【００１３】
本発明に係る製造方法は、その延在方向に延びるコードとこのコードを被覆するトッピングゴムとを含むストリップを用意する工程、及び上記ストリップをドラムの外周面上に巻き回す工程を備える。上記ストリップをドラムの外周面上に巻き回す工程においては、上記ドラムの外周面に設けられた、周方向に向けて螺旋状に延びる溝であって、第一面と第二面とを備えその周方向に垂直な断面がＶ字状を呈する溝に、上記ストリップの側面がこの第一面と接触しこのストリップの底面がこの第二面と接触するように上記ストリップが嵌め込まれて巻き回される。
【００１４】
好ましくは、上記ストリップをドラムの外周面上に巻き回す工程においては、上記ストリップを上記溝に送り出しながら、上記ドラムが回転しつつ軸方向に動くことで、上記ストリップが螺旋状に巻き回される。
【００１５】
好ましくは、この製造方法は重荷重タイヤ用である。
【発明の効果】
【００１６】
本発明に係る製造装置では、ドラムの外周面は、周方向に向けて螺旋状に延びる溝を備えている。ストリップは、この溝に嵌め込まれてドラムに巻き回される。この溝は、ストリップがこの溝に嵌め込まれたとき、ストリップの側面と接触する第一面と、ストリップの底面と接触する第二面とを備え、その周方向に垂直な断面がＶ字状を呈している。この溝は、ストリップを巻くときのストリップのドラムに対する滑りを防止する。この溝は、ストリップが巻かれた後のバンド全体のドラムに対する滑りを防止する。この溝は、ストリップのオーバーラップ量のばらつきの低減に寄与する。この製造装置では、良好なユニフォミティを有するタイヤが製造されうる。
【図面の簡単な説明】
【００１７】
【図１】図１は、本発明の一実施形態に係るタイヤの製造装置の一部が示された側面図である。
【図２】図２は、図１の装置の正面図である。
【図３】図３は、図１の装置の一部が示された拡大断面図である。
【図４】図４は、図３の装置の溝がさらに拡大された断面図である。
【図５】図５は、ストリップが示された断面斜視図である。
【発明を実施するための形態】
【００１８】
以下、適宜図面が参照されつつ、好ましい実施形態に基づいて本発明が詳細に説明される。
【００１９】
図１は、本発明の一実施形態に係るタイヤ製造装置２の一部が示された側面図である。この図では、この装置２のうち、ドラム４及びアプリケータ６が示されている。タイヤの製造においては、このドラム４の外周面上に、帯状のトスリップが巻き回され、バンドが形成される。この図では、このストリップ８も示されている。図１において、左右方向がドラム４の軸方向である。図２は、図１の装置２の正面図である。図２において、両矢印Ａで示される方向がドラム４の周方向である。紙面と垂直な方向が、ドラム４の軸方向である。
【００２０】
図１及び２に示されるように、ドラム４は円筒状を呈する。このドラム４は、図２の矢印Ｘの方向に回転することができる。このドラム４は、軸方向（図１の矢印Ｙ方向及びその逆の方向）に移動することができる。図示されないが、このドラム４は、複数の軸方向に延びるセグメントから構成されている。複数のセグメントが、周方向に円筒状に並べられて、この円筒状のドラム４が構成されている。このセグメントを半径方向に移動させることで、このドラム４は、拡径及び縮径が可能となっている。
【００２１】
図１に示されるように、ドラム４の外周面には、溝１０が刻まれている。この溝１０は、螺旋状に延びている。溝１０は、実質的に周方向に延びている。周方向に対する溝１０の延在方向の角度は、２°以下、さらには１°以下である。この実施形態では、一つの溝１０が、ドラム４の軸方向の一方の端の近辺から他方の端の近辺まで延びている。
【００２２】
図３は、図１のドラム４の一部が示された拡大断面図である。これは、ドラム４の周方向に垂直な断面である。図３において、上下方向がドラム４の半径方向であり、左右方向がドラム４の軸方向であり、紙面と垂直な方向がドラム４の周方向である。この図には、ドラム４の外周面の、軸方向の端の近辺が示されている。図４は、図３の溝１０がさらに拡大された図である。
【００２３】
図３及び４に示されるように、溝１０は、この溝１０の延在方向に延びる第一面１２と第二面１４とを備えている。このため、溝１０の断面１６（溝断面１６）は、Ｖ字状を呈する。図３に示されるように、このドラム４の断面には、溝断面１６が軸方向に並んでいる。等幅の溝断面１６が、等ピッチで並べられている。隣接する溝断面１６間には重なりがなく、隙間も存在しない。換言すれば、隣接する溝断面１６は、互いに接している。
【００２４】
アプリケータ６は、ドラム４の外周面の外側に位置する。アプリケータ６は、ストリップ８をドラム４の外周面上の所望の位置に案内する。アプリケータ６は、ドラム４の外周面上に、ストリップ８を送り出す。
【００２５】
この装置２を使用したタイヤの製造方法は、バンドを形成する工程を含む。このバンドを形成する工程は、
（１）ストリップ８を用意する工程
及び
（２）ストリップ８をドラム４の外周面上に巻き回す工程
を含む。  
【００２６】
上記（１）の工程では、コードを含むストリップ８が用意される。図５は、用意されたストリップ８の断面斜視図である。ストリップ８は、帯状である。ストリップ８は、並列された複数のコード１８と、このコード１８を被覆するトッピングゴム２０とを備える。この実施形態では、６本のコード１８が、並列されている。これらのコード１８は、ストリップ８の延在方向に延びる。典型的なコード１８の材質は、スチールである。コード１８の延在方向に延び、コードが並ぶ方向に平行な面が、このストリップの上面２２及び底面２４である。コード１８の延在方向に延び、上面２２及び底面２４に垂直な面が、このストリップの側面２６である。
【００２７】
上記（２）の工程では、上記（１）の工程で用意されたストリップ８が、ドラム４の外周面に巻かれる。この工程では、まずストリップ８の先端が、ドラム４の溝１０の端の位置に合わせられる。図１には、この状態が示されている。ストリップ８の先端が、溝１０の端において、溝１０に嵌め込まれる。すなわち、ストリップ８の側面２６が溝１０の第一面１２と接触し、ストリップ８の底面２４が溝１０の第二面１４と接触する。
【００２８】
アプリケータ６がストリップ８を送り出しつつ、ドラム４が図２のＸ方向に回転する。併せてドラム４が、図１のＹ方向に移動する。これにより、ストリップ８がドラム４に螺旋状に巻かれる。このとき、ストリップ８の側面２６と第一面１２とが接触した状態でストリップ８が巻かれるように、ドラム４の回転速度とドラム４のＹ方向の移動速度とが調整される。ストリップ８は、溝１０に嵌め込まれた状態で螺旋状に巻かれる。図３に、この様子が示されている。それぞれの溝断面１６に、ストリップ８の断面２８が位置している。それぞれの溝断面１６において、第一面１２とストリップ８の側面２６とが接触し、第二面１４とストリップ８の底面２４とが接触している。所望の位置までストリップ８が巻かれると、ドラム４の回転が止まる。これにて、上記（２）の工程が終了する。これにて、バンドが形成される。
【００２９】
図３で示されるように、この実施形態では、隣接するストリップ８の断面２８は、半径方向に重なりを有する。すなわち、ストリップ８はオーバーラップを有して巻き回されている。この重なり部分の軸方向幅は、オーバーラップ量と称される。ストリップ８が、オーバーラップを有ざすに巻き回されていてもよい。
【００３０】
この実施形態では、ストリップ８は図３の溝１０の右端から左端に向けて巻き回されている。溝１０の第一面１２を右側に位置させ、第二面１４を左側に位置させることで、ストリップ８を溝１０の左端から右端に向けて巻き回してもよい。この装置２がアプリケータ６を二つ備え、一方のアプリケータ６から供給するストリップ８を溝１０の右端から中央まで巻き回し、他方のアプリケータ６から供給するストリップ８を溝１０の中央から左端まで巻き回してもよい。
【００３１】
図示されないが、このタイヤの製造方法では、上記（２）の工程の後に、このドラム４において、バンドの外側にさらにトレッドが積層される。バンドの外側に一層又は複数層のベルトが積層され、これらの外側にトレッドが積層されてもよい。バンドの外側に積層される部材は、ここでは「外側部材」と称される。この外側部材とバンドとが圧着され、外側ローカバーが形成される。ドラム４が縮径して、外側ローカバーがドラム４から取り外される。外側ローカバーが、他のドラム上で形成されたカーカスやサイドウォール等の構成部材からなる内側ローカバーと、組み合わされる。これにより、ローカバーが形成される。
【００３２】
ローカバーが、モールドに入れられる。ローカバーは、モールド内で加圧および加熱される。加圧と加熱とにより、ローカバーのゴム組成物がキャビティ内を流動する。加熱によりゴムが架橋反応を起こし、タイヤが得られる。
【００３３】
以下、本発明の作用効果が説明される。
【００３４】
本発明に係る製造装置２では、ドラム４の外周面は、周方向に向けて螺旋状に延びる溝１０を備えている。この溝１０は、第一面１２と第二面１４とを備え、その周方向に垂直な断面がＶ字状を呈している。ストリップ８は、この溝１０に嵌め込まれてドラム４に巻き回される。ストリップ８がこの溝１０に嵌め込まれたとき、ストリップ８の側面２６が第一面１２と接触し、ストリップ８の底面２４が第二面１４と接触する。これにより、ストリップ８を巻くときのストリップ８のドラム４に対する滑りが防止されている。これにより、ストリップ８が巻かれた後の、バンド全体のドラム４に対する滑りが防止されている。ストリップ８の側面２６が第一面１２と接触されて巻き回されているため、ストリップ８が巻かれる位置の、所望の位置からのずれは小さい。この装置２では、ストリップ８の巻き位置の精度は高い。この装置２では、ストリップ８のオーバーラップ量のばらつきが抑えられている。これらは、タイヤのユニフォミティに寄与する。この製造装置２では、良好なユニフォミティを有するタイヤが製造されうる。
【００３５】
上記のとおり、ストリップ８の巻き位置の精度が高く、ストリップ８のオーバーラップ量のばらつきが抑えられているため、この装置２で製造されたタイヤでは、接地形状の歪みが抑えられ、さらに、タイヤの半径方向の寸法のばらつきも小さい。このタイヤを市場で使用したときの接地形状の場所による変動が、抑えられている。これらは、タイヤの偏摩耗の抑制に寄与する。この装置２で製造されたタイヤでは、偏摩耗が抑えられている。
【００３６】
溝を有さない従来のドラムでは、ストリップをオーバーラップを有して巻くとき、ストリップの既に巻かれた部分の上側に、それに隣接するストリップの部分が、重ねて巻き回される。ストリップの既に巻かれた部分と、それに隣接して巻き回される部分とが干渉する。これは、ストリップの位置精度に影響を及ぼす。また、ドラムに、ストリップの断面形状と同様の断面四角形の溝を設けて、この溝にストリップを嵌め込んで巻き回す方法が考えられる。しかし、この装置では、ストリップをオーバーラップさせて巻き回すのが困難となる。
【００３７】
この製造装置２では、断面がＶ字状を呈する溝１０を有する。ストリップ８がこの溝１０に嵌め込まれて巻かれるため、ストリップ８がオーバーラップを有して巻かれた場合においても、ストリップ８の既に巻かれた部分と、この部分に隣接して巻き回される部分との干渉は小さい。例えば、図３の実施形態では、それぞれのストリップ８の断面２８は、その前に巻かれたその右隣のストリップ８の断面２８と、干渉していない。これは、ストリップ８を巻き回す際のストリップ８の位置の精度を向上させる。これは、タイヤのユニフォミティに寄与する。この製造装置２では、良好なユニフォミティを有するタイヤが製造されうる。
【００３８】
本発明に係る製造方法では、ストリップ８をドラム４に螺旋状に巻き回す際に、ドラム４が軸方向に移動する。この方法では、アプリケータ６がストリップ８を送り出す位置は、固定されている。この方法では、アプリケータをドラムに対して軸方向に移動させてストリップを巻き回す従来の方法に比べて、ストリップ８にねじれが生じることや、ストリップ８の一部がこのストリップ８の他の部分と密着することが効果的に防止されている。これは、製造不良の抑制及び生産性の向上に寄与する。アプリケータを一周ごとに一ピッチずつ軸方向に移動させてストリップを巻く方法に比べて、ストリップ８の局所的な歪みが効果的に抑えられている。この方法では、タイヤの損傷の発生が効果的に抑えられている。
【００３９】
図４において、両矢印ＬＡは、第一面１２の幅を表す。両矢印ＬＢは、第二面１４の幅を表す。また、図５において、両矢印Ｔは、ストリップ８の厚みを表す。両矢印Ｗは、ストリップ８の幅を表す。
【００４０】
幅ＬＡの厚みＴに対する比（ＬＡ／Ｔ）は、０．８以上が好ましい。比（ＬＡ／Ｔ）を０．８以上とすることで、ストリップ８を巻き回すときのストリップ８の滑りが、効果的に防止されている。ストリップ８が巻かれた後のバンド全体のドラム４に対する滑りが、効果的に防止されている。この装置２では、ストリップ８のオーバーラップ量のばらつきが抑えられている。さらに、ストリップ８の既に巻かれた部分と、この部分に隣接して巻き回される部分との干渉が、効果的に小さくされている。この製造装置２では、良好なユニフォミティを有するタイヤが製造されうる。このタイヤでは、偏摩耗が抑えられている。
【００４１】
幅ＬＡの厚みＴに対する比（ＬＡ／Ｔ）は、１．２以下が好ましい。比（ＬＡ／Ｔ）を１．２以下とすることで、この溝１０によるバンドの段差が適正に抑えられる。バンドに外側部材を積層したとき、バンドと外側部材との接触面積が十分に確保できる。バンドと外側部材との良好な接着性が実現されている。さらに、バンドの段差が適正に抑えられるため、この外側ローカバーと内側ローカバーとの良好な接着性が実現されている。これは、良好な生産性及び製造不良の抑制に寄与する。この観点から比（ＬＡ／Ｔ）は、１．１以下がより好ましい。
【００４２】
幅ＬＢの幅Ｗに対する比（ＬＢ／Ｗ）は、０．５以上１．０以下が好ましい。比（ＬＢ／Ｗ）を０．５以上１．０以下とすることで、適正なオーバーラップ量が実現される。これは、タイヤのユニフォミティに効果的に寄与する。この製造装置２では、良好なユニフォミティを有するタイヤが製造されうる。
【００４３】
図４において、符号θＡは、第一面１２の外側端と第二面１４の外側端を結ぶ仮想線と、第一面１２とがなす角度を表す。角度θＡは、８０°以上が好ましい。角度θＡを８０°以上とすることで、ストリップ８を巻き回すときのストリップ８の滑りが効果的に防止されている。ストリップ８が巻かれた後のバンド全体のドラム４に対する滑りが効果的に防止されている。この装置２では、ストリップ８のオーバーラップ量のばらつきが抑えられている。これらは、タイヤのユニフォミティに寄与する。この製造装置２では、良好なユニフォミティを有するタイヤが製造されうる。この観点から角度θＡは、９０°以上がより好ましい。
【００４４】
角度θＡは、１００°以下が好ましい。角度θＡを１００°以下とすることで、第一面１２と第二面１４との間にストリップ８の端が入り込みこの端がつぶれることが防止されている。これは、ストリップ８の巻き位置の精度向上に寄与する。この装置２では、ストリップ８のオーバーラップ量のばらつきが抑えられている。この製造装置２では、良好なユニフォミティを有するタイヤが製造されうる。さらに、第一面１２と第二面１４との間にストリップ８の端が入り込むことが抑えられているため、外側ローカバーをドラム４から取り外す際の、取り外しの不良が抑えられている。
【００４５】
図４において、符号θＢは、第一面１２の外側端と第二面１４の外側端を結ぶ仮想線と、第二面１４とがなす角度を表す。角度θＢは、９°以上が好ましい。角度θＢを９°以上とすることで、ストリップ８を巻き回すときのストリップ８の滑りが効果的に防止されている。ストリップ８が巻かれた後のバンド全体のドラム４に対する滑りが効果的に防止されている。この装置２では、ストリップ８のオーバーラップ量のばらつきが抑えられている。これらは、タイヤのユニフォミティに寄与する。この製造装置２では、良好なユニフォミティを有するタイヤが製造されうる。
【００４６】
角度θＢは、２４°以下が好ましい。角度θＢを２４°以下とすることで、この溝１０によるバンドの段差が適正に抑えられる。バンドに外側部材を積層したとき、バンドと外側部材との接触面積が十分に確保できる。このバンドと外側部材との良好な接着性が実現されている。さらに、バンドの段差が適正に抑えられるため、外側ローカバーと、内側ローカバーとの良好な接着性が実現されている。これは、良好な生産性及び製造不良の抑制に寄与する。
【００４７】
この製造装置２は、バンドのコード１８がスチールからなる重荷重用のタイヤの製造に、特に適している。
【００４８】
ストリップ８の巻き回しを開始するドラム４上の位置において、ドラム４に磁石を埋め込むのが好ましい。ストリップ８のコード１８がスチールからなるとき、このコード１８の先端がこの磁石に吸着されることにより、ストリップ８がずれることが防止される。さらに、ドラム４の所定の場所において、第一面１２の外側端の内側に、磁石を埋め込むのが好ましい。この磁石の吸着力により、ストリップ８を安定して所望の位置に巻き回すことができる。この製造装置２では、良好なユニフォミティを有するタイヤが製造されうる。なお、この磁石が埋め込まれる位置や磁石の強さは、この磁石が、外側ローカバーをドラム４から取り外す際の、取り外し不良の要因とならないように設定される。
【実施例】
【００４９】
以下、実施例によって本発明の効果が明らかにされるが、この実施例の記載に基づいて本発明が限定的に解釈されるべきではない。
【００５０】
［実施例１］
本発明に係る製造装置を使用してタイヤが試作された。このタイヤのサイズは、２９５／８０Ｒ２２．５であった。このタイヤは重荷重用である。バンドの形成に使用されたストリップの幅Ｗは１０ｍｍ、厚みＴは２ｍｍであった。このストリップは、６本のスチールからなるコードを含んでいる。この装置の角度θＡ及び比（ＬＡ／Ｔ）が、表１に示されている。比（ＬＢ／Ｗ）は、０．８とされた。なお、角度θＢは、角度θＡ、比（ＬＡ／Ｔ）及び比（ＬＢ／Ｗ）から決められている。
【００５１】
［比較例１］
比較例１の装置では、ドラムは溝を有しない。この装置を使用したことの他は実施例１と同様にして、タイヤが試作された。
【００５２】
［実施例２−７］
実施例２−７の装置では、第一面の幅ＬＡを変更して比（ＬＡ／Ｔ）が表１及び２に示された値とされた。この装置を使用したことの他は実施例１と同様にして、タイヤが試作された。
【００５３】
［実施例８−１２］
実施例８−１２の装置では、角度θＡが表３に示された値とされた。この装置を使用したことの他は実施例１と同様にして、タイヤを試作した。
【００５４】
［ストリップ巻き精度］
５本のタイヤについてストリップが巻かれた後に、ストリップの巻き位置の精度が目視で確認された。この結果が、Ａ、Ｂ、Ｃ及びＤの４段階で評価された。この結果が表１−３に示されている。Ａ、Ｂ、Ｃ、Ｄの順に好ましい。
【００５５】
［外側部材及び内側ローカバーとの接着性］
５本のタイヤについて、ローカバーを形成した後、このローカバーカバーを切断してバンドと外側部材との接着性及び外側カバーと内側カバーとの接着性が目視で確認された。この結果が、Ａ、Ｂ、Ｃ及びＤの４段階で評価された。この結果が表１−２に示されている。Ａ、Ｂ、Ｃ、Ｄの順に好ましい。
【００５６】
［オーバーラップばらつき］
５本のタイヤについてストリップが巻かれた後に、オーバーラップ量のばらつきが目視で確認された。この結果が、Ａ、Ｂ、Ｃ及びＤの４段階で評価された。この結果が表３に示されている。Ａ、Ｂ、Ｃ、Ｄの順に好ましい。
【００５７】
【表１】
2019137019.tif 000003
【００５８】
【表２】
2019137019.tif 000004
【００５９】
【表３】
2019137019.tif 000005
【００６０】
表１−３に示されるように、実施例の製造装置で作成されたタイヤは総合的に評価か高い。この評価結果から、本発明の優位性は明らかである。
【産業上の利用可能性】
【００６１】
以上説明された装置は、種々の空気入りタイヤの製造に適用されうる。
【符号の説明】
【００６２】
２・・・製造装置
４・・・ドラム
６・・・アプリケータ
８・・・ストリップ
１０・・・溝
１２・・・第一面
１４・・・第二面
１６・・・溝断面
１８・・・コード
２０・・・トッピングゴム
２２・・・上面
２４・・・底面
２６・・・側面
２８・・・ストリップの断面
【図１】
2019137019.tif 000006
【図２】
2019137019.tif 000007
【図３】
2019137019.tif 000008
【図４】
2019137019.tif 000009
【図５】
2019137019.tif 000010